(57)【要約】【課題】第２の伝送系の最大伝送レート以下の範囲になるように第２の伝送系に最適に伝送するネットワーク接続装置を提供することを目的とする。【解決手段】第１、第２の通信手段３、５を介してＩＥＥＥ１３９４規格に準拠した伝送路２に基づく信号形式を無線通信路４に基づく信号形式に変換すると共に、無線通信路４に接続される複数のモジュール１０、１１からの要求を通信手順変換手段６により判断し、無線通信路４の最大伝送レート以下の範囲になるように要求データを無線通信路４に最適に伝送されるように構成されたものである。【選択図】  図１
2004215148.tif 000002
【特許請求の範囲】
【請求項１】
複数の機器が第１の伝送系を介して接続され、前記第１の伝送系に接続される前記複数の機器間と通信を行うための機能を有する第１の通信手段と、少なくとも１つ以上のモジュールが前記第１の伝送系とは異なるプロトコルの第２の伝送系に接続され、前記第２の伝送系に接続される複数のモジュール間と通信を行うための機能を有する第２の通信手段と、前記第１の伝送系に基づく通信手順を前記第２の伝送系に基づく通信手順に変換する通信手順変換手段と、前記第１の通信手段に接続されたデコード手段と、このデコード手段に接続されたエンコード手段とを備え、前記第１、第２の通信手段を介して前記第１の伝送系に基づく信号形式を前記第２の伝送系に基づく信号形式に変換すると共に、前記第２の伝送系に接続される複数のモジュールからの要求と前記第２の伝送系の最大伝送可能なレートを前記通信手順変換手段により判断し、前記第２の伝送系の最大伝送レートが前記第２の伝送系に接続される複数のモジュールの要求伝送レートを満足する場合は、前記第１の通信手段の出力が前記第２の通信手段に入力され、前記第２の通信手段の出力が前記第２の伝送系を介して前記複数のモジュールに接続され、前記第２の伝送系の最大伝送レートが前記第２の伝送系に接続される複数のモジュールの要求伝送レートを満足しない場合は、前記第２の伝送系に接続される複数のモジュールの各要求伝送レートに応じて前記第２の伝送系で通信可能なように前記第１の通信手段の出力をデコードし、エンコードした出力が前記第２の通信手段に入力され、前記第２の通信手段の出力が前記第２の伝送系を介して前記複数のモジュールに接続されるようにしたネットワーク接続装置。
【発明の詳細な説明】
【０００１】
【発明の属する技術分野】
本発明は複数の機器の信号を同期伝送可能なＩＥＥＥ１３９４規格等の有線伝送系で接続された機器と、他の異なる無線伝送系で接続された機器との間で信号伝送を可能にするのに好適のネットワーク接続装置に関するものである。
【０００２】
【従来の技術】
従来のネットワーク接続装置としては、特許文献１に記載されたものが知られている。このネットワーク接続装置について図２を用いて説明する。図２はネットワーク接続装置のネットワークシステム構成を表すブロック図である。図２において、１０１は第１の伝送系、１０２は第１の通信手段、１０３は第２の伝送系、１０４は第２の通信手段、１０５は能力通知手段、１０６は伝送レート通知手段、１０７は通信手順変換手段、１０８は信号形式変換手段である。
【０００３】
図２において複数の機器が第１の伝送系１０１を介して接続され、前記第１の伝送系１０１に接続される前記複数の機器間と通信を行うための機能を備えた第１の通信手段１０２と、少なくとも１つ以上の機器が前記第１の伝送系１０１とは異なるプロトコルの第２の伝送系１０３に接続され、前記第２の伝送系１０３に接続される機器間と通信を行うための機能を備えた第２の通信手段１０４と、前記第２の通信手段１０４を備えていることを前記第１の通信手段１０２を介して前記第１の伝送系１０１に接続される全ての機器に通知する能力通知手段１０５と、前記第２の伝送系１０３の最大伝送レートを前記第１の通信手段１０２を介して前記第１の伝送系１０１に接続される全ての機器に通知する伝送レート通知手段１０６と、前記第１の伝送系１０１に基づく通信手順を前記第２の伝送系１０３に基づく通信手順に変換する通信手順変換手段１０７と、前記第１の伝送系１０１に基づく信号形式を前記第２の伝送系１０３に基づく信号形式に変換する信号形式変換手段１０８とを備えた構成である。
【０００４】
【特許文献１】
特開平１０−１５４９９６号公報
【０００５】
【発明が解決しようとする課題】
このようなネットワーク接続装置においては第２の伝送系１０３に接続される複数の機器からの要求を判断する機能や複数の機器からの全ての要求を満たす機能がないため、第２の伝送系１０３の最大伝送レート以下の範囲になるように、要求データを伝送することが困難であった。
【０００６】
本発明はこの課題を解決するものであり、前記第２の伝送系の最大伝送レート以下の範囲になるように要求データと伝送可能なネットワーク接続装置を提供することを目的とする。
【０００７】
【課題を解決するための手段】
この課題を解決するために本発明のネットワーク接続装置は複数の機器が第１の伝送系を介して接続され、前記第１の伝送系に接続される前記複数の機器間と通信を行うための機能を有する第１の通信手段と、少なくとも１つ以上のモジュールが前記第１の伝送系とは異なるプロトコルの第２の伝送系に接続され、前記第２の伝送系に接続される複数のモジュール間と通信を行うための機能を有する第２の通信手段と、前記第１の伝送系に基づく通信手順を前記第２の伝送系に基づく通信手順に変換する通信手順変換手段と、前記第１の通信手段に接続されたデコード手段と、このデコード手段に接続されたエンコード手段とを備え、前記第１、第２の通信手段を介して前記第１の伝送系に基づく信号形式を前記第２の伝送系に基づく信号形式に変換すると共に、前記第２の伝送系に接続される複数のモジュールからの要求と前記第２の伝送系の最大伝送可能なレートを前記通信手順変換手段により判断し、前記第２の伝送系の最大伝送レートが前記第２の伝送系に接続される複数のモジュールの要求伝送レートを満足する場合は、前記第１の通信手段の出力が前記第２の通信手段に入力され、前記第２の通信手段の出力が前記第２の伝送系を介して前記複数のモジュールに接続され、前記第２の伝送系の最大伝送レートが前記第２の伝送系に接続される複数のモジュールの要求伝送レートを満足しない場合は、前記第２の伝送系に接続される複数のモジュールの各要求伝送レートに応じて前記第２の伝送系で通信可能なように前記第１の通信手段の出力をデコードし、エンコードした出力が前記第２の通信手段に入力され、前記第２の通信手段の出力が前記第２の伝送系を介して前記複数のモジュールに接続されるように構成されている。この構成により、第２の伝送系の最大伝送レート以下の範囲になるように、要求データを最適に伝送することができる。
【０００８】
【発明の実施の形態】
以下、本発明の実施の形態について、図１を用いて説明する。
【０００９】
図１は本発明のネットワーク接続装置の実施の形態のブロック図である。
【００１０】
図１において１はネットワーク接続装置、２はＤＶＨＳ、ＤＴＶやＢＳデジタルチューナなどに接続される第１の伝送系としてのＩＥＥＥ１３９４規格に準拠した伝送路、３は第１の通信手段、４は第２の伝送系としての無線通信路、５は第２の通信手段、６は通信手順変換手段でありマイクロコンピュータ６ａとＲＯＭ６ｂとＲＡＭ６ｃよりなる。７はデコード手段、８はエンコード手段である。９は無線伝送装置、１０は無線伝送装置と機器としてのテレビが接続されたモジュール、１１は無線伝送装置と機器としてのテレビが接続されたモジュールである。
【００１１】
ネットワーク接続装置１はＩＥＥＥ１３９４規格に準拠した伝送路２に接続された機器と無線伝送装置９と無線通信路４と接続されたモジュール１０とモジュール１１からなる。
【００１２】
図１を用いて本発明のネットワーク接続装置１の構成を以下説明する。
【００１３】
図１において複数の機器（ＤＶＨＳ、ＤＴＶ、ＢＳデジタルチューナ等）がＩＥＥＥ１３９４規格に準拠した伝送路２を介して接続され、この伝送路２に接続される前記複数の機器間と通信を行うための機能を有する第１の通信手段３と、少なくとも１つ以上の機器が前記ＩＥＥＥ１３９４規格とは異なるプロトコルの無線通信路４に接続され、前記無線通信路４に接続される複数のモジュール（例えば無線伝送装置を介したテレビ受像装置等）間で通信を行うための機能を有する第２の通信手段５と、前記伝送路２に基づく通信手順を前記無線通信路４に基づく通信手順に変換する通信手順変換手段６とを備え、前記第１、第２の通信手段３、５を介して前記伝送路２に基づく信号形式を前記無線通信路４に基づく信号形式に変換すると共に、前記無線通信路４に接続される複数の機器からの要求と前記無線通信路４の最大伝送可能なレートを前記通信手順変換手段６により判断し、前記無線通信路４の最大伝送レートが前記無線通信路４に接続される複数のモジュール１０、１１の要求伝送レートを満足する場合は、前記第１の通信手段３の出力を前記第２の通信手段５に入力され、前記第２の通信手段５の出力が前記無線通信路４を介してモジュール１０、１１に接続され、前記無線通信路４の最大伝送レートが前記無線通信路４に接続される複数のモジュール１０、１１の要求伝送レートを満足しない場合は、前記無線通信路４に接続される複数のモジュール１０、１１の各要求伝送レートに応じて前記無線通信路４で通信可能なように前記第１の通信手段３の出力をデコード手段７に入力し、このデコード手段７の出力をエンコード手段８に入力し、このエンコード手段８からの出力が前記第２の通信手段５に入力され、この第２の通信手段５の出力が前記無線通信路４を介して前記複数のモジュール１０、１１に接続されるように構成されている。
【００１４】
本実施の形態においては、第１の伝送系としてのＩＥＥＥ１３９４規格に準拠した伝送路２から第２の伝送系としての無線通信路４に向かう信号及び通信の流れについて説明してきたが、前記通信手順変換手段６は前記第１の伝送系と前記第２の伝送系とに基づくそれぞれの通信手順を互いに変換することが可能であり、前記第１の伝送系と前記第２の伝送系とに基づくそれぞれの信号形式を互いに変換することが可能である。
【００１５】
本実施の形態においては、第１の伝送系としてＩＥＥＥ１３９４規格に準拠した伝送路２の例について説明してきたが、これ以外にもＲＳ−２３２Ｃ規格に準拠した伝送路やＥｔｈｅｒｎｅｔ（富士ゼロックス株式会社の登録商標）に準拠した伝送路、またはＵＳＢ規格に準拠した伝送路を用いることも可能である。
【００１６】
本実施の形態においては、第２の伝送系として無線通信路４について説明してきたが、無線通信路としてはＩＥＥＥ８０２．１１ａ規格に準拠した無線通信路ＩＥＥＥ８０２．１１ｂ規格に準拠した無線通信路、または、Ｂｌｕｅｔｏｏｔｈ規格に準拠する無線通信路等多くのものを用いることが可能である。
【００１７】
本実施の形態において、無線伝送装置９の中に有する通信手順変換手段６において第２の伝送系に接続される複数のモジュールからの要求を判断し、前記第２の伝送系の最大伝送レート以下の範囲になるように前記第２の伝送系にモジュール１０、１１を接続する構成について説明してきたが、複数のモジュール１０、１１にはそれぞれ機器とこの機器に接続された無線伝送装置を備え、さらにこの無線伝送装置の中にはそれぞれ第２の通信手順変換手段を有する構成も可能であり、第２の伝送系に接続される複数のモジュール１０、１１の機器からの要求を通信手順変換手段６またはモジュール１０、１１にそれぞれ備えられた前記無線伝送装置の中の第２の通信手順変換手段の少なくとも１つ以上により判断し、前記第２の伝送系の最大伝送レート以下の範囲になるように前記第２の伝送系にモジュール１０、１１のいずれかを選択して接続させることも可能である。
【００１８】
このように構成することによりモジュール１０、１１側の中に有する機器の要求を迅速に判断することができ、第２の伝送系としての無線通信路４に接続するモジュール１０、１１を選択するまで、第２の伝送系としての無線通信路４に不要なデータを送出させないようにすることが可能になる。
【００１９】
モジュール１０、１１においては、機器としてのテレビに接続された無線伝送装置をそれぞれ別ブロックとして構成されたものについて説明してきたが、モジュール内のテレビ部分と無線伝送装置を一体にすることも当然可能である。さらに、モジュール１０、１１内の機器（例えばテレビ）と無線伝送装置が一体になっている構成である場合は、当然ＩＥＥＥ１３９４規格に準拠した伝送路等や第１の通信手段それに続く第２の通信手段等は当然不要になる。また、無線伝送装置９とＤＶＨＳ、ＤＴＶやＢＳデジタルチューナ等が一体になっている場合は、ＩＥＥＥ１３９４規格に準拠した伝送路２とそれに接続される第１の通信手段３等は不要になることは当然である。
【００２０】
本実施の形態において、映像再生機能を持つＤＶＨＳと映像表示機能を持つＤＴＶについて説明してきたが、撮像機能を持つビデオカメラ、映像録画機能を持つＤＶＨＳを用いることが可能である。
【００２１】
また、本発明はソフトウェアのプログラムコードを記憶した記憶媒体を、システム装置に供給し、そのシステム装置のコンピュータ（ＣＰＵやＭＰＵ）が記憶媒体に格納されたプログラムコードを読み出して実行することによっても、達成されることは言うまでもない。この場合、記憶媒体から読み出されたプログラムコード自体が本実施の形態で説明した機能を実現することとなり、そのプログラムコードを記憶した記憶媒体も発明を構成することになる。
【００２２】
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、ＣＤ−ＲＷ、磁気テープ、不揮発性のメモリカード、ＤＶＤ−ＲＯＭ、ＤＶＤ−Ｒ、ＤＶＤ−ＲＷ等を用いることができる。
【００２３】
また、コンピュータが読み出したプログラムコードを実行することにより、本実施の形態で説明した機能が実現されるだけでなく、そのプログラムコードの指示に基づき、コンピュータ上で稼動しているＯＳ等が実際の処理の一部または全部を行い、その処理によって本実施の形態で説明した機能が実現される場合も含まれることは言うまでもない。
【００２４】
さらに、記憶媒体から読み出されたプログラムコードが、コンピュータに挿入された拡張機能ボードやコンピュータに接続されて機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって本実施の形態で説明した機能が実現される場合も含まれることは言うまでもない。
【００２５】
【発明の効果】
以上のように本発明は、ネットワーク接続装置において複数の機器が第１の伝送系を介して接続され、前記第１の伝送系に接続される前記複数の機器間と通信を行うための機能を有する第１の通信手段と、少なくとも１つ以上のモジュールが前記第１の伝送系とは異なるプロトコルの第２の伝送系に接続され、前記第２の伝送系に接続される複数のモジュール間と通信を行うための機能を有する第２の通信手段と、前記第１の伝送系に基づく通信手順を前記第２の伝送系に基づく通信手順に変換する通信手順変換手段と、前記第１の通信手段に接続されたデコード手段と、このデコード手段に接続されたエンコード手段とを備え、前記第１、第２の通信手段を介して前記第１の伝送系に基づく信号形式を前記第２の伝送系に基づく信号形式に変換すると共に、前記第２の伝送系に接続される複数のモジュールからの要求と前記第２の伝送系の最大伝送可能なレートを前記通信手順変換手段により判断し、前記第２の伝送系の最大伝送レートが前記第２の伝送系に接続される複数のモジュールの要求伝送レートを満足する場合は、前記第１の通信手段の出力が前記第２の通信手段に入力され、前記第２の通信手段の出力が前記第２の伝送系を介して前記複数のモジュールに接続され、前記第２の伝送系の最大伝送レートが前記第２の伝送系に接続される複数のモジュールの要求伝送レートを満足しない場合は、前記第２の伝送系に接続される複数のモジュールの各要求伝送レートに応じて前記第２の伝送系で通信可能なように前記第１の通信手段の出力をデコードし、エンコードした出力が前記第２の通信手段に入力され、前記第２の通信手段の出力が前記第２の伝送系を介して前記複数のモジュールに接続されるように構成されているため、前記第２の伝送系の最大伝送レート以下の範囲になるように要求データを最適に伝送することを可能とする。
【図面の簡単な説明】
【図１】本発明の実施の形態におけるネットワーク接続装置のブロック図
【図２】従来のネットワーク接続装置のブロック図
【符号の説明】
１  ネットワーク接続装置
２  ＩＥＥＥ１３９４規格に準拠した伝送路
３  第１の通信手段
４  無線通信路
５  第２の通信手段
６  通信手順変換手段
６ａ  マイクロコンピュータ
６ｂ  ＲＯＭ
６ｃ  ＲＡＭ
７  デコード手段
８  エンコード手段
９  無線伝送装置
１０  無線伝送装置と機器としてのテレビが接続されたモジュール
１１  無線伝送装置と機器としてのテレビが接続されたモジュール
【図１】
2004215148.tif 000003
【図２】
2004215148.tif 000004